(57)【特許請求の範囲】
【請求項１】
２つのパッチパネル間のケーブル接続を監視するための装置であって、
第１のパッチパネルであって、複数の第１のパッチパネル・ポートを備え、該第１パッチパネル・ポートの各々はイン・バンド通信チャネル・コネクタおよびアウトオブバンド通信チャネル接点を備え、前記第１パッチパネルはさらに、前記第１パッチパネル・ポートのうち少なくとも１つのものの前記アウトオブバンド通信チャネル接点に接続した第１のポート・コントローラ・モジュールを備え、前記第１パッチパネルはさらに、該第１ポート・コントローラ・モジュールと通信を行う第１のパッチパネル・コントローラ・モジュールを備える、第１のパッチパネルと、
第２のパッチパネルであって、複数の第２のパッチパネル・ポートを備え、該第２パッチパネル・ポートの各々はイン・バンド通信チャネル・コネクタおよびアウトオブバンド通信チャネル接点を備え、前記第２パッチパネルはさらに、前記第２パッチパネル・ポートのうち少なくとも１つの前記アウトオブバンド通信チャネル接点に接続した第２のポート・コントローラ・モジュールを備え、前記第２パッチパネルはさらに、該第２ポート・コントローラ・モジュールと通信を行う第２のパッチパネル・コントローラ・モジュールを備える、第２のパッチパネルと、
を備え、
前記第１ポート・コントローラ・モジュールは、
各前記第１パッチパネル・ポートが、第１のアウトオブバウンド・メッセージを生成して該第１アウトオブバウンド・メッセージを各前記第２パッチパネル・ポートに繰り返しブロードキャストすると共に、前記第２パッチパネル・ポートのいずれかが生成した第２のアウトオブバウンド・メッセージの受信についてリスンするように制御し、
前記各第１パッチパネル・ポートのいずれかが、前記第２パッチパネル・ポートから前記第２アウトオブバウンド・メッセージの受信をすると、更新メッセージをリアルタイムに生成して該更新メッセージを前記第１パッチパネル・コントローラ・モジュールに送信する、
ように構成されることを特徴とする、装置。
【請求項２】
請求項１に記載の装置において、前記第１ポート・コントローラ・モジュールは前記第１パッチパネル・コントローラ・モジュールの制御下にあり、前記第２ポート・コントローラ・モジュールは前記第２パッチパネル・コントローラ・モジュールの制御下にある、装置。
【請求項３】
請求項１に記載の装置であって、さらに、前記第１パッチパネル・ポートおよび前記第２パッチパネル・ポートの各々に関連する少なくとも１つのインジケータ・ライトを備える、装置。
【請求項４】
請求項１に記載の装置において、前記第１パッチパネルはさらに、プライマリおよびセカンダリの第１のパッチパネル・ネットワーク・コネクタ・ポートを備え、前記第２パッチパネルはさらに、プライマリおよびセカンダリの第２のパッチパネル・ネットワーク・コネクタ・ポートを備え、
前記プライマリの第１パッチパネル・ネットワーク・コネクタ・ポートは、前記第２パッチパネル・ネットワーク・コネクタ・ポートのうちの１つに接続され、前記セカンダリの第１パッチパネル・ネットワーク・コネクタ・ポートは、ネットワーク・マネジメント・システムに接続される、装置。
【請求項５】
請求項１に記載の装置において、前記第１パッチパネル・コントローラ・モジュールは、ネットワーク・インターフェイス・モジュールと、パネル・プロセッサ・モジュールと、データ・ストレージ・モジュールとを備える、装置。
【請求項６】
請求項１に記載の装置において、前記イン・バンド通信チャネル・コネクタは電気コネクタである、装置。
【請求項７】
請求項１に記載の装置において、前記イン・バンド通信チャネル・コネクタは光コネクタである、装置
【発明の詳細な説明】
【技術分野】
【０００１】
関連出願との相互参照
本出願は、２００４年１１月３日に出願した「パッチパネルのパッチコード・ドキュメンテーションおよびその改訂のための方法および装置」と題する米国仮出願第６０／６２４,７５３号の優先権を主張するものである。
本発明は、ネットワーク・ケーブル・マネジメントに関するものである。
【背景技術】
【０００２】
通信ネットワークについて、数および複雑さは増大しつつある。パッチパネル接続の管理を含むネットワーク接続の監視が、ネットワーク・マネジメントにおいて重要な課題となっている。パッチパネル・マネジメントのアーキテクチャに信頼性があり、またスケーラブルであることが強く望まれている。
【発明の開示】
【発明が解決しようとする課題】
【０００３】
パッチパネルのポート・レベル接続のようなケーブル接続について、リアルタイムに監視および報告するための方法および装置を提供する。本パッチパネル・システム例に対して、分散アーキテクチャに基づく手法を採り、これはモジュール的にスケーラブルとすることができ、また、中央信号処理装置に対する必要性や、パッチパネルおよび中央信号処理装置間の複雑なケーブル布線に対する必要性を、無くせない場合でも削減することができる。各々のパッチパネルは、独立してポート・レベル接続を決定することができる。ポーリング遅延およびポーリングに関連したオーバーヘッド処理は、そのポート・レベルでのポート接続のリアルタイム監視をサポートすることにより、無くせない場合でも削減することができる。この手法により、複雑なケーブル布線を減らし、信頼性を向上させ、そしてメンテナンス・コストを削減するとともに、パッチパネル接続をリアルタイムに報告することに改善がもたらされる。加えて、この手法は、多目的ネットワーク・マネジメント・システム（ＮＭＳ）との互換性もある（すなわち、ＮＭＳと通信し、またＮＭＳにより制御され得る）。
【課題を解決するための手段】
【０００４】
ケーブル接続（例えば、パッチパネルのパッチコード接続）を監視する方法を開示する。すなわち、アウトオブバンドのパッチコード・チャネルにおいてローカル・パッチパネル識別子とローカル・ポート識別子を送信すること、アウトオブバンドのパッチコード・チャネルにおいてリモート・パッチパネル識別子とリモート・ポート識別子を受信すること、受信したリモート・パッチパネル識別子および受信したリモート・ポート識別子に基づいてパッチコードの接続ステータスを判定すること、そして、ネットワーク・マネジメント・システムへのステータス更新メッセージであって、ローカル・パッチパネル識別子と、ローカル・ポート識別子と、リモート・パッチパネル識別子と、リモート・ポート識別子とパッチコード接続ステータスとを含んでいるステータス更新メッセージを送信すること、を備えることができる方法である。
【０００５】
ケーブル接続（例えば、パッチパネルのパッチコード接続）を監視するための装置を開示する。すなわち、アウトオブバンドのパッチケーブル・チャネルにおいてローカル・パッチパネル識別子とローカル・ポート識別子を送信する送信機、アウトオブバンドのパッチケーブル・チャネルにおいてリモート・パッチパネル識別子とリモート・ポート識別子を受信する受信機、受信したリモート・パッチパネル識別子および受信したリモート・ポート識別子に基づいてパッチコードの接続ステータスを判定し、パッチコードの接続ステータスが変わったと判定したときポート更新ステータスを生成するポート・コントローラ、そして、ポート更新ステータスを受信し、ローカル・パッチパネル識別子、ローカル・ポート識別子、リモート・パッチパネル識別子、リモート・ポート識別子、及びパッチコードの接続ステータスを含む更新をネットワーク・マネジメント・システムへ送信を行うパッチパネル・コントローラ、を備えることができる装置である。
【０００６】
ケーブル接続（例えば、パッチパネルのパッチコード接続）を監視するために、コンピュータ・プログラム・ロジックを記録したコンピュータ読み取り可能媒体を有するプログラム製品装置を開示する。すなわち、アウトオブバンドのパッチケーブル・チャネルにおいてローカル・パッチパネル識別子とローカル・ポート識別子を送信する送信機モジュール、アウトオブバンドのパッチケーブル・チャネルにおいてリモート・パッチパネル識別子とリモート・ポート識別子を受信する受信機モジュール、受信したリモート・パッチパネル識別子および受信したリモート・ポート識別子に基づいてパッチコードの接続のステータスを判定し、パッチコードの接続ステータスが変わったと判定したときポート更新ステータスを生成するポート・コントローラ・モジュール、そして、ポート更新ステータスを受信し、ローカル・パッチパネル識別子、ローカル・ポート識別子、リモート・パッチパネル識別子、リモート・ポート識別子、及びパッチコードの接続ステータスを含む更新をネットワーク・マネジメント・システムへ送信を行うパッチパネル・コントローラ・モジュール、を備えることができるプログラム製品装置である。
【０００７】
以下に、実施形態について図面を参照して記載するが、ここで同じ参照符号で同じ構成要素を示す。
【図面の簡単な説明】
【０００８】
【図１】図１は、集中化したポーリング技術を用いてパッチパネル・ポート間の接続を判定するため、中央信号処理装置を用いた従来技術のパッチパネルの単一バンクを示す概略図である。
【図２】図２は、多数のパッチパネルであって、各々のパッチパネルのモジュール的にスケーラブルで分散型のアーキテクチャに基づいて、パッチパネル間のポート・レベル接続を判定することができるパッチパネルを示す概略図である。
【図３】図３は、２つのパッチパネル間のメッセージの交換を描いた概略図である。
【図４】図４は、図２および図３に描いた例示のパッチパネルを示すブロック図である。
【図５】図５は、図４に描いた例示のパネル・コントローラ・モジュールを示すブロック図である。
【図６】図６は、図５に描いた例示のポート・コントローラ・モジュールを示すブロック図である。
【図７】図７は、例示のパッチパネルの起動に関するワークフローを示す例示のフローチャートである。
【図８】図８は、パッチパネルのポート・レベル接続情報を監視および報告するための例示のパッチパネルの動作に関するワークフローを示す例示のフローチャートである。
【図９】図９は、本発明の一実施形態による改訂システムを利用するための２つのパッチパネルを示すブロック図である。
【図１０】図１０は、本発明の一実施形態によるプラグを示す斜視図である。
【図１１】図１１は、本発明の一実施形態によるパッチパネルの一部を示す斜視図である。
【発明の詳細な説明】
【０００９】
ケーブル接続を監視および報告するために開示する方法および装置は、様々なネットワーク・デバイスに適用することができる。例えば、以下に記載するように、この開示する方法および装置は、複数のパッチパネル・システム間でのケーブル接続を監視および報告することに適用することができる。
【００１０】
図１は、従来技術のパッチパネル・バンク１００の一例を表わしており、個々のパッチパネル１０２（ａ−ｇ）はパッチコードの接続情報の自動コンパイルをサポートするように適合されている。図１に示すとおり、各パッチパネル１０２は複数のパッチパネル・ポート１０４を有しており、また、監視用のリボン・ケーブル１０８（ａ−ｇ）を介して中央信号処理装置１０６に接続されている。
【００１１】
２つのパッチパネル・ポート１０４間の接続を確立するために用いられるパッチコード１１２（ａ−ｇ）は、パッチコードの接続ステータスを監視するために、ネットワーク・データ接続をサポートする複数のネットワーク導体と、パッチパネル・バンク１００を用いてアウトオブバンドの信号の接続をサポートする追加のアウトオブバンド導体を備えることができる。例えば、ＲＪ−４５型のケーブル終端装置の例の場合、ＲＪ−４５ケーブル終端装置に関連する典型的な８つのデータの導体および１つの追加のアウトオブバンド導体を備えることができる。
【００１２】
再度図１を参照すると、上述の９ワイヤのＲＪ−４５型コネクタをＲＪ−４５パッチパネル・ポート１０４に差し込むと、アウトオブバンド・コネクタは、各ＲＪ−４５パッチパネル・ポート１０４内部もしくは後部に組み込まれたパッド（図示せず）と導通しているアウトオブバンド・コネクタの導通パッド（図示せず）と接触する。各アウトオブバンド導通パッドは、各パッチパネル１０２と中央信号処理装置１０６とを接続する監視用リボン・ケーブル１０８内の複数導体のうちの１つに対し、パッチパネル内で内部的に接続することができる。本発明は、９つもしくはそれ以上の導体を有するコネクタを使用することができ、または任意の型のコネクタのプローブであって、パッチパネルのマザーボートと電気的に接触するプローブを使用することができる。このようなコネクタは、図２の実施形態を含む本発明の種々の実施形態で使用することができる。
【００１３】
パッチパネル・バンク１００において、パッチコード１１２により確立した個々のパッチパネル・ポート１０４間の接続を判定するために、中央信号処理装置１０６は、各監視用リボン・ケーブル１０８を介して各パッチパネル１０２上の各ポート１０４に対してポーリングを行う。例えば、中央信号処理装置１０６は、選択した監視用リボン・ケーブル１０８内の選択した導体に対し直流電圧といった電気信号を印加して、この信号がその同じパッチパネルに関連した他の監視用リボン・ケーブル１０８の導体で受信されたか、または中央信号処理装置１０６に接続した他のパッチパネルで受信されたかを検知する。同じもしくは異なる監視用リボン・ケーブル１０８内の他の導体に印加された信号への応答として、監視用リボン・ケーブル１０８の導体で信号を検知した場合、中央信号処理装置１０６は、監視用リボン・ケーブルの各導体に関連する２つのパッチパネル・ポートが接続されていると判定することができる。中央信号処理装置１０６は、判定したポート・レベル接続を報告するためにマネジメント・ネットワーク接続１１０を介してネットワーク・マネジメント・システム（ＮＭＳ）へのメッセージを生成し送信することができる。ある特定のパッチパネル・ポートに関連した同じまたは異なる監視用リボン・ケーブル１０８内の導体に印加した信号への応答として監視用リボン・ケーブル導体のどの信号をも検出しなかった場合、中央信号処理装置１０６は、その信号が印加されたパッチパネル・ポートは使用されていないと判定する。
【００１４】
監視対象のパッチパネル・バンク１００は、図１に関して上記したとおり、ネットワーク・マネジメント・システムに対しパッチパネル接続情報を提供できるが、このような監視対象のパッチパネル・バンクは重大な欠点を存している。この手法は、中央信号処理装置１０６が接続できる物理的なパッチパネルの数が制限され、これにより監視できるパッチパネル接続の数が制限されるという点では、モジュール的にスケーラブルではない。異なるパッチパネル・バンクをサポートするために追加の中央信号処理装置を調達してもよいが、異なった複数の中央信号処理装置がサポートするパッチパネル間を接続するパッチコードを監視することはできない。さらに、この監視対象のパッチパネル・バンク１００に基づく手法では、パッチパネル・バンクの監視について、この中央信号処理装置が単一の障害点となる。単一の中央信号処理装置１０６の損失（例えば、電源の損失、ネットワーク接続の損失、もしくは内部中央信号処理装置の故障によるもの）は、このパッチパネル・バンク全体のパッチパネル監視機能の損失をもたらすことになる。さらに、中央信号処理装置に接続することの必要性により、パッチパネルの位置に制約が生じ、ケーブルの複雑さを増大させ、これにより、信頼性を低下させ、メンテナンス費用を増やすことになる。そしてさらには、単一の中央信号処理装置がサポートするパネルの数が増えることにより、中央信号処理装置に課されるポーリング要求が増大し、これによりポーリングのサイクル・タイム（すなわち、すべてのパッチパネル上のすべてポートをポーリングするのに必要とされる時間）が増大し、パッチパネルのパッチコードの接続の変更に対するシステム応答性能が低下することになる。
【００１５】
上記を考慮すると、パッチパネルが、モジュール的にスケーラブルで分散型のアーキテクチャに基づいたパッチパネルのポート・レベル接続を監視および報告できることが好ましい。このような手法により、各パッチパネルがポート・レベル接続を独立して判定できるようにすることで、中央信号処理装置に対する必要性を、無くせない場合でも、好ましくは削減するようになる。さらに、このような手法により、ポート・レベルでのポート接続のリアルタイム監視をサポートすることで、ポーリング遅延やポーリングに関わるオーバーヘッド処理について、無くせない場合でも、好ましくは削減するようになる。加えて、このような手法により、ケーブルの複雑性の削減、信頼性の増大、メンテナンス費用の削減とともに、パッチパネル接続のリアルタイム報告が提供される。
【００１６】
図２は、７つの例示のモジュール形インテリジェント・パッチパネル２０２（ａ−ｇ）を示した概要図である。各パッチパネル２０２は、モジュール的にスケーラブルで分散型のアーキテクチャに基づいている。図２に示すとおり、各パッチパネル２０２は、一組のネットワーク接続ポート２２０を含むことができ、そしてこれらのポートは、デイジーチェーン・ネットワーク・ケーブル２０８（例えば、従来のＲＪ−４５型終端装置で終端される比較的短距離の４対ネットワーク・ケーブル）を用いることにより各パッチパネルをデイジーチェーン構成でネットワーク接続２１０に対し相互接続できるようにする。ネットワーク接続２１０は、各パッチパネルに対してデイジーチェーンのネットワーク接続を提供することができ、またそれにより、デイジーチェーンの各パッチパネルにリモートのネットワーク・マネジメント・システム（ＮＭＳ）への接続を提供することができる。さらに、各パッチパネル２０２は、一対の電源共有ポート２１８を備えることができ、デイジーチェーンの電源ケーブル２１６（例えば、適切なコネクタを用いた比較的短距離の直流または交流の電源ケーブル）を用いることで、パッチパネルを単一電源２２２に対しデイジーチェーン構成で相互接続することができる。
【００１７】
各パッチパネル２０２は、パッチパネルのパッチポート・レベル接続を監視および報告することができ、その接続は、中央信号処理装置からのサポートなしで（例えば、図１のブロック１０６について記載したような）パッチコードを１つまたはそれ以上のパッチパネル・デバイス上のポート間に手動で接続することで形成される。これにより、このパッチパネルは（図１について記載したような）、ステータス監視用のリボン・ケーブルに対する必要性を削減または無くすことができる。単一電源２２２から多数のパッチパネルへのデイジーチェーン式給電能力により、各パッチパネルのそれぞれへの独立した電源に対する必要性を削減または無くすことができ、更には、電源関連のケーブルの量を減らすことができる。ネットワーク接続２１０から多数のパッチパネルへのデイジーチェーンのネットワーク接続の能力により、各パッチパネルのそれぞれへの独立したネットワーク・ケーブルに対する必要性を削減または無くすことができ、更には、ネットワーク関連のケーブルの量を減らすことができる。
【００１８】
このパッチパネル・アーキテクチャにより、任意の数のパッチパネル・デバイスを導入することで、パッチパネルのネットワーク機能を任意の方法でスケーリングすることができる。このパッチパネル・アーキテクチャにより、アウトオブバンド・パッチコード接続にわたる各接続したポート間でのアウトオブバンド通信に基づいて、任意の２つのパッチパネル・ポート間のパッチコード接続を判定することができる。このパッチパネルは、パッチパネル・ポート間の接続を判定するために、共通の中央信号処理装置に対する必要性を削減または無くすことができる。さらに、中央信号処理装置に対する必要性を無くすことで、１セットのパッチパネルを監視する機能に関わる単一の障害点を除去することができ、そして簡略化したケーブルを介した他の複数の可能性のある障害点を除去または解消することができる。さらに、図１で上記したポーリング手法とは異なり、このパッチパネル・アーキテクチャは、ネットワークに含まれるパッチパネルの数に関わらず、リアルタイムでのパッチパネルのポート・レベル接続の変更の監視および報告をサポートする。中央信号処理装置がサポートするパッチパネルの各々の各ポートを順番に走査するための中央信号処理装置に頼るシステムの場合と同じように、応答時間は、ネットワークに追加されたパッチパネルの数と共には増大しない。本発明のいくつかの実施形態によるパッチパネル・アーキテクチャは、任意のサイズのネットワークをサポートするようにモジュール的にスケーリングできるパッチパネルの監視をサポートし、遅延を削減したリアルタイム監視を提供し、また信頼性を増大させメンテナンス費用を削減した簡易化した内部パッチパネル・ケーブリング・スキームを採用する。
【００１９】
図３は、「パッチパネルＸ」とラベリングされたパッチパネル３０２（ａ）と「パッチパネルＺ」とラベリングされたパッチパネル３０２（ｂ）との間のアウトオブバンド・メッセージの交換を描いた概要図である。以下により詳細に記載するとおり、各パッチパネル・ポートは、アウトオブバンド・チャネルで、メッセージを生成したパッチパネルおよびポートを識別するポート・メッセージを繰り返しブロードキャストすることができる。例えば図３に示されるとおり、パネルＸのパッチパネル・ポート３０４（ａ）は、パッチパネル・ポート３０４（ａ）がパッチパネルＸの２１番のポートを示すためにアウトバウンド・メッセージ「パッチパネルＸ／ポート２１」を生成することができる。さらに図３に示すとおり、パネルＺのポート３０４（ｂ）は、パッチパネル・ポート３０４（ｂ）がパッチパネルＺの１７番のポートを示すアウトバウンド・メッセージ「パッチパネルＺ／ポート１７」を生成することができる。
【００２０】
各パッチパネル・ポートは、繰り返しアウトバウンド・メッセージをブロードキャストし、および他のパッチパネル・ポートが生成したアウトバウンド・メッセージを受信するようリスニングすることができる。アウトオブバンド通信チャネルをサポートするパッチコードが２つのパッチパネル・ポートの間で接続されるまで、どちらのポートもアウトオブバンド・メッセージを受信することはない。しかしながら、２つのパッチパネル・ポートがアウトオブバンド通信チャネルをサポートするパッチコード（例えば９番目のワイヤを有するパッチコード）で接続されると、各パッチパネル・ポートは、これとの接続が確立されたパッチパネル・ポートがブロードキャストしたアウトバウンド・メッセージを受信することができる。そのそれぞれのポートの各々に関連したパッチパネル・ポート・コントローラは、リアルタイムにその各パッチパネル・コントローラに対して更新メッセージを生成することができる。ポート・コントローラからの更新メッセージを受信すると、各パッチパネル・コントローラのそれぞれは、更新メッセージを生成し、ネットワーク接続を介してリモートＮＭＳに送信することができ、そのリモートＮＭＳは、受信した物理トポロジー情報を編成してエンドユーザに有用な様式で呈示すように構成されている。
【００２１】
図４は、例示のパッチパネル構成を示すブロック・レベル図である。図４に示されるように、パッチパネル４００は、複数のポート・コントローラ・モジュール４０４と通信するパネル・コントローラ・モジュール４０２を備える。さらに、このパッチパネル・コントローラ・モジュール４０２は、上記したとおり、デイジーチェーン・ネットワーク接続ポート４２０（ａ）および４２０（ｂ）を介して他のパッチパネルおよび／またはネットワーク・マネジメント・システムとの通信をサポートすることができる。これに加えて、上記したとおり、このパッチパネルは、電源からまたは他のパッチパネルから電力を受け取ることができ、そして電力をデイジーチェーン電力接続ポート４１８（ａ）および４１８（ｂ）を介して他のパッチパネルに送ることができる。
【００２２】
図５は、例示のパッチパネル・コントローラ・モジュール５０２を示すブロック図である。図５に示すように、パネル・コントローラ・モジュール５０２は、データ・ストレージ・モジュール５０８、ネットワーク・インターフェイス・モジュール５０６、および複数のポート・コントローラ・モジュール５０４と通信を行うパネル・プロセッサ・モジュール５１０を備えることができる。
【００２３】
パネル・プロセッサ・モジュール５１０は、ポート・ステータスの更新を受信するために各ポート・コントローラ・モジュール５０４のそれぞれと通信することができる。ポート・コントローラ・モジュール５０４から更新メッセージを受信すると、パネル・プロセッサ・モジュール５１０は、データ・ストレージ・モジュール５０８内に格納されたステータス情報を更新し、このポート・コントローラ・モジュールから受信した接続関連情報を含むＳＮＭＰ準拠の更新メッセージを生成し、そしてこの生成したＳＮＭＰ準拠更新メッセージをネットワーク・インターフェイス・モジュール５０６を介してリモート・ネットワーク接続ＮＭＳに送信することができる。９番目のワイヤ接続５０９または他のプローブ接続はパッチパネル・アウトオブバンド・チャネル物理インターフェイスおよびポート・コントローラ・モジュール５０４に接続される。インバウンド通信は、図５の実施形態において８つの導体５１１を介して伝えられるが、変更なくこのパッチパネルを進む。
【００２４】
パネル・プロセッサ・モジュール５１０は、ネットワーク・インターフェイス・モジュール５０６を介してリモート・ネットワーク接続ＮＭＳからのＳＮＭＰメッセージを受信し、処理することができる。このＳＮＭＰメッセージは、パネル・コントローラ・モジュール５０２および／または１つ以上のポート・コントローラ・モジュール５０４を制御するのに用いるため、更新構成パラメータを含むことができる。リモート・ネットワーク接続ＮＭＳから更新メッセージを受信すると、パネル・プロセッサ・モジュール５１０はデータ・ストレージ・モジュール５０８に格納されたステータス情報を更新し、そして内部更新メッセージを生成し、各ポート・コントローラ・モジュール５０４の各々に送信することができる。
【００２５】
図５には示していないが、パネル・プロセッサ・モジュール５１０は、パッチパネルの挙動や動作を制御するのに用いるため追加機能または追加モジュールを備えることができる。このような追加モジュールは、実行する追加機能と互換性のある管理オブジェクトをデータ・ストレージ・モジュール５０８内に格納し、および／またはそれを更新することができる。好ましくは、このようなオブジェクトは、パネル・プロセッサ・モジュール５１０からＮＭＳへの格納値についてのＳＮＭＰベースの報告（例えばＳＮＭＰのｇｅｔ−ｒｅｓｐｏｎｓｅメッセージを介して、および／またはＳＮＭＰイベント・トラップ・メッセージを介して、等）を容易にし、および／またはＳＮＭＰベースのメッセージを介した（例えば、ＳＮＭＰのｓｅｔコマンドを介した）ＮＭＳからパッチパネル・コントローラ・モジュール５０２への更新をサポートする。規定されたＳＮＭＰマネジメント・インフォメーション・ベース（ＭＩＢ）と互換性のある構造およびフォーマットで格納して、パネル・プロセッサ・モジュール５１０に含めることができるある追加の機能は、ＳＮＭＰ以外のプロトコルを介したＮＭＳからのコマンド、制御および報告の命令を受信し処理することをサポートする。
【００２６】
異なるパネル・コントローラ・モジュール５０２の構成は、標準の機能から複雑な監視および制御機能におよぶ機能を有するパネル・プロセッサ・モジュール５１０を含むことができる。そのため、パネル・コントローラ・モジュール５０２に求められるハードウェア・モジュールおよびソフトウェア・モジュールは、制限されたストレージや処理性能を有する比較的単純なモジュールからかなり大きなストレージおよび処理性能を有する比較的複雑なモジュールにわたるもので実現できる。
【００２７】
図６は、例示のポート・コントローラ・モジュール６０４を示すブロック図である。図６に示すとおり、ポート・コントローラ・モジュール６０４は、データ・ストレージ・モジュール６１２と通信を行うポート・プロセッサ・モジュール６０６を含むことができる。ポート・プロセッサ・モジュール６０６はアウトオブバンド・チャネル物理インターフェイス６１０と通信を行う。
【００２８】
ポート・プロセッサ・モジュール６０６は、パネル・コントローラ・モジュールにポート更新メッセージを送信するため、またパネル・コントローラ・モジュールから構成／制御パラメータ更新を受信するために、パッチパネル・コントローラ・モジュールと通信することができる。更新メッセージをパネル・コントローラ・モジュールから受信すると、ポート・プロセッサ・モジュール６０６はデータ・ストレージ・モジュール６１２内に格納されたステータス情報を更新することができる。ポート・プロセッサ・モジュール６０６は、パッチパネル・コントローラ・モジュールから受信してデータ・ストレージ・モジュール６１２に格納したパラメータを用いて、ポート・コントローラ・モジュール６０４の動作を制御し、またパネル・コントローラ・モジュールに更新メッセージを介して報告されるイベントを制御することができる。
【００２９】
一実施形態のポート・コントローラ・モジュールにおいては、ポート・プロセッサ・モジュール６０６は、現在のもしくはローカルのポート・コントローラ・モジュール（例えば、現在のもしくはローカルのパッチパネル・ポートに関係するパッチパネル／パッチポート情報）に関係するローカル・パッチパネル識別子、ローカル・ポート識別子およびローカル・ポート接続ステータスをデータ・ストレージ・モジュール６１２から抽出し、この抽出情報をアウトオブバンドのチャネル物理インターフェイス６１０に提供して、この抽出したローカル・パッチパネル識別子およびローカル・ポート識別子情報を含むアウトバウンド・ポート・メッセージを生成する。ポート・プロセッサ・モジュール６０６は、送信機を介してこのアウトオブバンドのチャネルのメッセージ送信へと進み、そしてその送信機は、一実施形態においては、アウトオブバンドのチャネル物理インターフェイス６１０によって作動される。さらに、このポート・プロセッサ・モジュール６０６は、このアウトオブバンドのチャネル物理インターフェイス６１０が動作させることができる受信機を介して、リモート・パッチパネル識別子情報およびリモート・ポート識別子情報を含むインバウンド・メッセージをリモート・ポートから受信することができる。
【００３０】
一実施形態のアウトオブバンドのチャネル物理インターフェイス６１０が単一のアウトオブバンドのコンダクタをサポートする構成においては、ポート・プロセッサ・モジュール６０６は、アウトバウンド・ポート・メッセージを送信することと、リモート・ポートからのアウトバウンド・メッセージを受信できるかどうかを確認することとを繰り返し交互に行うことができる。他の実施形態のアウトオブバンドのチャネル物理インターフェイス６１０が２つの別個のコンダクタをサポートする構成においては、ポート・プロセッサ・モジュール６０６は、アウトオブバンドのアウトバウンド・ポート・メッセージの送信およびリモート・ポートからのアウトオブバンド・メッセージの受信確認を同時に行うことができる。
【００３１】
「リモート・ポート」や「ローカル・ポート」という用語は、相対的な用語である。例えば、パッチパネル・ポート・コントローラから見た場合、「リモート・ポート」という用語は、そのパッチパネル・ポート・コントローラがサポートしている「ローカル・ポート」以外の任意のポートを指すのに用いることができる。パッチパネルが複数のポートをサポートするとした場合は、「リモート・ポート」は、「ローカル・ポート」と同じすなわちローカルなパッチパネル上のあるポートとしたり、または、この「リモート・ポート」は他のすなわちリモートのパッチパネル上のあるポートとしたりすることができる。リモート・ポートおよびローカル・ポートは、各々一方が他方に対し相対的な位置を有するということを除いては全く同じに振る舞いをする。例えば、各ポートはそのポートからの見え方に基づいて、ローカル・パッチパネル識別子およびローカル・ポート識別子を含むアウトオブバンドのアウトバウンド・ポート・メッセージを送信する。さらに各ポートは、そのポートからの見え方に基づいて、受信メッセージ内のリモート・パッチパネル識別子およびリモート・ポート識別子を受信する。
【００３２】
図５で上記したとおり、監視するアウトオブバンド・メッセージに基づいて、ポート・レベル接続に変更があったと判定すると、ポート・プロセッサ・モジュール６０６は更新ステータス情報をデータ・ストレージ・モジュール６１２に格納し、そして更新メッセージをパネル・コントローラ・モジュールに送信することができる。
【００３３】
上述のとおり、異なるポート・コントローラ・モジュール６０４の構成は、標準の機能から複雑な機能におよぶ機能を有するポート・プロセッサ・モジュール６０６を含むことができる。従って、ポート・コントローラ・モジュール６０４に求められるハードウェア・モジュールやソフトウェア・モジュールは、わずかなストレージおよび処理性能しか有さない比較的単純なモジュールからかなり大きなストレージおよび処理性能を有する比較的複雑なモジュールにわたるもので実現できる。
【００３４】
図７は、例示のパッチパネル・デバイスの起動に関連する例示のワークフローを示すフローチャートである。図７に示すとおり、ステップＳ７０２でパッチパネル・デバイスの電源を投入すると、ステップＳ７０４では、パッチパネル・コントローラはリモートＮＭＳに構成要求を送信する。ステップＳ７０６では、ＮＭＳがこの構成要求を受信すると、ＮＭＳは構成を制御するストレージ・リポジトリから、その構成要求の発信元のパッチパネル・デバイスの構成パラメータを抽出し、パッチパネル・パネル・コントローラへこの抽出構成パラメータを送る。ステップＳ７０８では、この要求した構成パラメータを受け取ると、このパッチパネル・パネル・コントローラは、その受信したパラメータを格納し、そしてステップＳ７１０で、この受信構成パラメータの全部または一部を、これらを適用する各パッチパネル・ポートのそれぞれに関連する各パッチパネル・ポート・コントローラのそれぞれに送る。ステップＳ７１２では、パネル・コントローラから構成データを受信すると、各ポート・コントローラはその構成パラメータを格納することができ、そしてステップ７１４で、上記したとおり、受信した制御パラメータに従ってポート接続の監視を起動することができる。
【００３５】
図８は、上記したようなアウトオブバンド通信チャネルにおけるパッチパネルのポート・レベル接続の監視に基づいた通信の監視に関する例示のワークフローを示すフローチャートである。図８に示すとおり、ステップＳ８０２では、パッチコードの接続監視が起動されると、パッチパネル・ポート・コントローラは、監視するポートに関連するアウトオブバンドのチャネルにおけるアウトバウンド・メッセージを送信することができる。このようなアウトバウンド・メッセージには、被監視パッチパネル・ポートに関連するパッチパネルの情報およびパッチポートの情報を含むことができる。
【００３６】
次にステップＳ８０４では、ポート・コントローラは、他のパッチパネル・ポート・コントローラからのアウトオブバンド・メッセージが受信のため利用可能かどうか判定するチェックを行う。ステップＳ８０６では、ポート・コントローラがアウトオブバンド・メッセージを受信のため利用可能でないと判定する場合は、ステップＳ８０８でポート・コントローラは、現在格納されているポート・ステータスをチェックする。ポートが接続されていないとその格納されている接続ステータスが示していることをポート・コントローラが判定した場合は、この処理フローは、ステップＳ８０２に進み、この被監視パッチパネル・ポートに関するパッチパネル／ポート情報を含むアウトオブバンドのチャネルのアウトバウンド・メッセージを再送する。ステップＳ８０８では、ポート・ステータスが「接続されている」と格納されている接続ステータスが示していることをポート・コントローラが判定した場合は、ステップＳ８１０でそのポート・コントローラは、ポート・レベル・データ・ストアを更新して、その新たなポート・ステータスに「接続断」を反映させ、そして接続断をパネル・コントローラに通知するメッセージを生成してパッチパネルに送信することができる。新たなポート・ステータスを含むポート・コントローラからのメッセージを受信すると、パネル・コントローラは、ポート・ステータス情報をパネル・レベル情報ストアに格納し、ステータス更新を生成し、そしてネットワークを介してＮＭＳへおよび送信することができる。処理フローは、その後ステップＳ８０２に進む。
【００３７】
ステップＳ８０６では、ポート・コントローラはアウトオブバンド・メッセージを受信のため利用可能であると判断した場合は、ポート・コントローラはステップＳ８１２でそのアウトオブバンド・メッセージを受信する。ステップＳ８１４では、ポート・ステータスが「接続されている」であり、受信したパッチパネル／ポート情報が以前に格納したパッチパネル／ポート情報と一致すると判定した場合には、パネル・コントローラに対しての更新を生成することなく、処理はステップＳ８０２に進む。
【００３８】
しかしながら、ステップＳ８１４で、格納したポート・ステータスが「接続断」で、および／または受信したパッチパネル／ポート情報が以前に格納したパッチパネル／ポート情報と一致しない、とポート・コントローラが判定した場合は、ポート・コントローラは、ポート接続ステータスに変更が生じたと判定する。これにより、ステップＳ８１６では、ポート・コントローラは、ポート・レベル・データ・ストアを更新して、ポート・ステータスに「接続されている」を反映することができ、そしてこの新たなポート・ステータスおよび新たに受信したパッチパネル／ポート接続情報を含むメッセージをパネル・コントローラへ送信することができる。ステップＳ８１８では、パネル・コントローラは、この更新メッセージを受信し、それに応答してパネル・レベル情報ストアを更新して受信した接続ステータスおよびポート接続情報を反映することができ、そしてネットワークを介してＮＭＳへの更新メッセージを生成し送信することができる。処理フローは、その後ステップＳ８０２に進む。
【００３９】
図９は、相互接続システムに使用する本発明の一実施形態を示し、これにおいては、全てのパッチコードは、グループ１（グループ１ポート）におけるパッチパネルとグループ２（グループ２ポート）におけるパッチパネルとの間を接続する。本実施形態において、各パッチパネルにおける各ポートに付属するＭＡＣチップがある。９番目のワイヤ上の各システム送信は、グループ１ポートからグループ２ポートへの向きである。各グループ１ポートは、その９番目のワイヤでＭＡＣ  ＩＤを連続して送信する。このような信号をグループ２ポートで受信すると、グループ１ポートとグループ２ポートの両ＩＤをグループ２ポートがＮＭＳへ送信する。ＮＭＳによる受信がアクノレッジされたら、グループ２ポートはそのメッセージ送信をストップする。グループ２ポートがグループ１ポートからのＭＡＣ  ＩＤ信号の受信をストップした場合は、ＮＭＳによる受信のアクノレッジが行われるまで、そのＩＤを連続してＮＭＳに送信する。これにより、ＮＭＳは連続して更新される。このドキュメンテーション・システムは、各パッチパネルにおいてデータ・ストレージ・モジュールを必要としない。ＮＭＳにおける１つのサブシステムである中央改訂システムはまた、各ポートに付属したＬＥＤを制御する。そのＬＥＤを制御するための各パッチパネルへの送信は、このドキュメンテーション・システムに用いられるものと同じイーサネット・システム上で行われる。
【００４０】
再び図９に戻ると、図９は本発明による第１のパッチパネル９００と第２のパッチパネル９０２を用いた改訂システムを示している。第１パッチパネル９００上のポート９０４は、ネットワーク・スイッチ９０６の上流に接続される。この改訂システムは、ネットワーク・マネジメント・システム（ＮＭＳ）における１つのサブシステムである。この改訂システムによりパッチコードの除去や追加を案内することができる。各パッチパネル・ポートは、ＬＥＤを備えている。
【００４１】
パッチコードの除去を案内するために、改訂システムは、パッチコード９１４が取り付けられた第１ポート９０４の第１のＬＥＤ９０８および第２ポート９１２の第２のＬＥＤ９１０を点滅させる。図９のこの実施形態において、パッチコード９１４は９ワイヤのパッチコードである。次にこの改訂システムは、第１ポート９０４のＭＡＣ  ＩＤおよび第２ポート９１２のＭＡＣ  ＩＤを順に連続して改訂システムに対してポート９１２によって送信させる。改訂者は、点滅しているＬＥＤ９１０が付属している第２ポート９１２からパッチコード９１４を抜く。次にこの改訂システムは、この第２ポート９１２のＭＡＣ  ＩＤだけを連続して改訂システムに送信させ、改訂システムがこのメッセージを受信するまで続ける。改訂システムがそのメッセージを受信したとき、この改訂システムは、第２ポート９１２のＬＥＤ９１０を消灯し、そしてある時間遅延の後、第１ポート９０４のＬＥＤ９０８も消灯する。
【００４２】
パッチコードの追加を案内するために、改訂システムは第１ＬＥＤ９０８および第２ＬＥＤ９１０の両方を点灯させる。第１ポート９０４および第２ポート９１２を接続するパッチコードが取り付けられたら、ポート９１２は改訂システムに対して両ＩＤを順に連続して送信し、改訂システムがメッセージを受信しそして両方のＬＥＤを消灯するまで、続ける。
【００４３】
図１０および図１１は、図９に円「Ａ」で示したプラグと多くのジャックとを示している。図１０は上端部に接点１００２を有するプラグ１０００を示す。この接点１００２は、そのプラグのパッチコードの９番目のワイヤに電気的に接続され、図１１に示すようにプラグがジャック１１０２に差し込まれた時に、９番目のワイヤの差し込み口１１００に結合するように設計されている。また図１１に、各ジャックに付属するＬＥＤ１１０４も示す。図１０および図１１に示した、プラグとジャックは、本発明の他の実施形態において用いることができる。
【００４４】
理解されるように、上述し図面に示した例示の実施形態は、ネットワークのパッチパネル接続の管理において用いるため、本発明に従ってパッチパネルを実現する多くの方法のうちのいくつかを表わしているにすぎない。本発明は、本明細書に開示した任意の特定のネットワーク・ケーブル・インフラストラクチャ構成における使用に限定されるものではなく、パッチパネルを用いることで効果が生じる配備されたネットワーク・インフラストラクチャのいかなるものにも適用することができる。さらに、記述した自動ケーブル・マネジメント機能は、スイッチ、ルータ、コンピュータ、サーバおよびネットワークに接続したデータ・リポジトリ、プリンタといったエンドユーザ・デバイス、ワークステーションおよび携帯型コンピュータ・デバイスを含む。（ただし、これに限定されない）任意のネットワーク接続デバイス内に集積することができる。
【００４５】
パッチパネルは、任意の数のハードウェア・モジュールおよびソフトウェア・モジュールにより実現でき、いかなる特定のハードウェア／ソフトウェア・モジュール構成にも限定されない。各パッチパネル・モジュールは、任意の数の方法で実現でき、実施において上述したのと全く同じ処理フローを実行することには限定されない。上記およびフローチャートとダイアグラムに示したパッチパネルのパッチコード接続監視処理は、本明細書に記述した機能を実現するものであれば、いかなる方法でも修正することができる。
【００４６】
理解されるべきであるが、パッチパネルのパッチコード・マネジメント手法および装置の様々な機能は、ハードウェアおよび／またはソフトウェアのモジュールもしくはユニット、コンピュータもしくは処理システム、または回路の任意の数（例えば１またはそれ以上）のものの間で、任意の手法で分散させることができる。
【００４７】
パッチコードの接続監視処理をサポートするパッチパネルは、銅線ケーブルおよび／または光ファイバ・ケーブルを含む（但し、これに限定されない）任意のタイプのネットワーク・ケーブルのパッチングをサポートすることができる。パッチパネルの正面プレートでのポート接続および／またはパッチパネル・ネットワーク接続ポートは、ＲＪ−４５ベースのコネクタや光ファイバ・コネクタを含む（但し、これに限定されない）任意のタイプのケーブルおよびケーブル・コネクタをサポートすることができる。パッチパネルの背面プレートにおけるポート接続は、パンチ・ダウン・ポート、ＲＪ−４５ポート、光ファイバ接続等を含む（但し、これに限定されない）任意のタイプのケーブルおよびケーブル・コネクタをサポートすることができる。
【００４８】
パッチパネルのネットワーク接続は、パッチパネル・デバイス間のデイジーチェーンのネットワーク接続の使用に限定されない。個々のバッチパネル・デバイスは、直接的に、または間接接続もしくは共有接続を介して、任意のタイプのネットワーク接続を通じてネットワークに接続することができる。
【００４９】
パッチパネルの電源接続は、パッチパネル・デバイス間のデイジーチェーン式の電源接続の使用に限定されない。個々のパッチパネル・デバイスは、直接的に、または間接接続を介して、専用電源もしくは共有電源に直接接続することができる。
【００５０】
パッチパネルのパッチコード接続監視処理に関連するネットワーク・マネジメント・システムの処理は、スタンドアロン・システム内で統合することができ、または別個に実行して任意の通信媒体（例えば、ネットワーク、モデム、直接接続等）を介した任意の数のデバイス、ワークステーション・コンピュータ、サーバ・コンピュータもしくはデータ・ストレージ・デバイスに結合することができる。パッチパネルのパッチコード接続監視処理に関連するこのネットワーク・マネジメント・システムの処理は、任意の数量の装置および／または、任意の数量のパーソナル・コンピュータもしくは別タイプのコンピュータ、または処理システム（例えば、ＩＢＭ互換、Ａｐｐｌｅ、Ｍａｃｉｎｔｏｓｈ，ラップトップ、パームパイロット、マイクロプロセッサ等）により実現できる。このコンピュータ・システムは、市販された任意のオペレーティング・システム（例えば、Ｗｉｎｄｏｗｓ（登録商標）、ＯＳ／２、Ｕｎｉｘ（登録商標）、Ｌｉｎｕｘ、ＤＯＳ等）、市販されたおよび／または特注の任意のソフトウェア（例えば通信ソフトウェア、トラフィック解析ソフトウェア等）、および任意のタイプの入出力装置（例えば、キーボード、マウス、プローブ、Ｉ／Ｏポート等）を備えることができる。
【００５１】
パッチパネルのパッチコード接続監視処理に関連するパッチパネルのソフトウェアとネットワーク・マネジメント・システムのソフトウェアとは、任意の好ましいコンピュータ言語で実現され、本明細書および図面に示したフローチャートに含まれる機能の説明に基づいて、コンピュータおよび／またはプログラミングにおける当業者が開発することができる。例えば、例示の１実施形態において、パッチパネルのパッチコード接続監視処理は、プログラミング言語Ｃ＋＋を用いて記述することができるものの、本発明は任意の特定のプログラミング言語で実装することに限定されない。様々なモジュールやデータ・セットは、任意の数量またはタイプのファイル構造、データ構造またはデータベース構造で格納できる。さらに、パッチパネルのパッチコード接続監視処理に関連するこのソフトウェアは、任意の適当な媒体（例えば、ＣＤ−ＲＯＭやディスケットといった装置に格納）を介して配布したり、（例えば、パケットおよび／またはキャリア信号を介して）インターネットまたは他のネットワークからダウンロードしたり、（例えば、キャリア信号を介して）掲示板からダウンロードしたり、または他の従来型の分配機構で分配することができる。
【００５２】
パッチパネルのパッチコード接続監視処理をサポートする、およびパッチパネル以外のデバイスに関するネットワーク・ケーブル・マネジメントのサポートにおいて、中間情報を保持するために用いられる内部情報構造のフォーマットおよび構造は、任意のあらゆる構造やフィールドを含むことができ、従って、ファイル、配列、行列、ステータスおよび制御ブーリアン／変数には限定されない。
【００５３】
パッチパネルのパッチコード接続監視処理のソフトウェアをサポートするために使用されるネットワーク・マネジメント・システムは、任意の従来のもしくはその他の手法（例えば、プログラム・インストール、ファイル・コピー、実行コマンド入力等）でコンピュータ・システムにインストールして、実行させることができる。このネットワーク・マネジメント・システムに関連する機能は、任意の数量のコンピュータもしくは他の処理システム上で実行することができる。さらに、それら特定の機能は任意の所望の形態で１つまたはそれ以上のコンピュータ・システムに割り当てることができる。
【００５４】
パッチパネルのパッチコード接続監視処理は、任意の所望のフォーマット（ＡＳＣＩＩ、プレーンテキスト、任意のワード・プロセッサまたは他のアプリケーション・フォーマット等）における格納データ・セット、測定データ・セットおよび／または残りのデータ・セットを含む任意の数量かつタイプのデータ・セット・ファイルおよび／またはデータベースもしくは他の構造に対処することができる。
【００５５】
パッチパネルのパッチコード接続監視処理の出力は、英数字および／または視覚的な提示フォーマットを用いた任意の方法で、（例えばこのネットワーク・マネジメント・システムを介して）ユーザに提示することができる。パッチパネルの接続データは、英数字か視覚的なフォーマットで提示することができ、ＮＭＳが任意の手法で、および／または任意の数の閾値および／またはルール・セットを用いて処理することができる。
【００５６】
さらに、本明細書における様々な機能を実行するソフトウェアについての参照、ソフトウェア制御下でこれら機能を実行するコンピュータ・システムまたはプロセッサについて全般的に言及するものである。このコンピュータ・システムは、代替的には、ハードウェアまたは他の処理回路で実現することができる。パッチパネルのパッチコード接続監視処理におけるこの様々な機能は、任意の数（例えば、１またはそれ以上）のハードウェアおよび／またはソフトウェアのモジュールもしくはユニット、コンピュータまたは処理システムもしくは回路の間で任意の手法で分散させることができる。このコンピュータ・システムまたは処理システムは、互いに対してローカルまたはリモートに配置でき、また任意の適切な通信メディア（例えば、ＬＡＮ、ＷＡＮ、イントラネット、インターネット、ハードワイヤ、モデム接続、ワイヤレス接続等）を介して通信を行うことができる。上述しフローチャートと図に示したこのソフトウェアおよび／またはプロセスは、本明細書に記載の機能を実現するものであれば任意の手法で変更することができる。
【００５７】
以上の説明から、理解されるように、インテリジェント・パッチパネルと、パッチパネル・アーキテクチャを用いたパッチパネルのネットワーク接続の管理に関する方法とを開示しており、これは、配置されたパッチパネルのパッチコード接続情報を正確に評価し、そしてリアルタイムに報告できるものである。
【００５８】
以上にパッチパネルと、パッチパネル・アーキテクチャを用いたパッチパネルのネットワーク接続の管理に関する方法とを開示したが、当業者の有する技術の範囲内の、任意の修正、バリエーションおよび変更は、本発明の範囲内に入るものである。本明細書においては特定の用語を用いているが、これらの用語は、本明細書において異なるものとして明確に規定していない限り、通常のおよび慣習上の方法においてでのみ用いたものであり、限定を目的とするものではない。
【図１】
0005551653.tif 000002
【図２】
0005551653.tif 000003
【図３】
0005551653.tif 000004
【図４】
0005551653.tif 000005
【図５】
0005551653.tif 000006
【図６】
0005551653.tif 000007
【図７】
0005551653.tif 000008
【図８】
0005551653.tif 000009
【図９】
0005551653.tif 000010
【図１０】
0005551653.tif 000011
【図１１】
0005551653.tif 000012